(57)【要約】【課題】支柱装着具の高さ調整が容易な治具を提供する。【解決手段】支柱Ｐに取り付けられる支柱クランプ装置５の高さを調整自在な支柱装着具用高さ調整治具１であって、支柱Ｐに取り付けられるクランプ部２と、クランプ部２に設けられた雄ネジ部３と、雄ネジ部３に上方から螺合する高さ調整ナット４１とを備え、高さ調整ナット４１の上端部４１ｂが支柱クランプ装置５に当接する。また、雄ネジ部３には、高さ調整ナット４１の下降を阻止する下降阻止ナット４２が螺着されている。また、高さ調整ナット４１の上端部４１ｂは肉薄に形成されている。【選択図】図３
2013194755.tif 000002
【特許請求の範囲】
【請求項１】
支柱に取り付けられる支柱装着具の高さを調整自在な支柱装着具用高さ調整治具であって、
支柱に取り付けられるクランプ部と、
該クランプ部に設けられた雄ネジ部と、
該雄ネジ部に上方から螺合するナットとを備え、
該ナットの上端が支柱装着具に当接することを特徴とする支柱装着具用高さ調整治具。
【請求項２】
請求項１記載の支柱装着具用高さ調整治具であって、
前記ナットは、
前記支柱装着具に当接する高さ調整ナットと、
該高さ調整ナットの下降を阻止する下降阻止ナットとで構成されることを特徴とする支柱装着具用高さ調整治具。
【請求項３】
請求項１又は請求項２に記載の支柱装着具用高さ調整治具であって、
前記ナットの上端部は肉薄に形成されていることを特徴とする支柱装着具用高さ調整治具。
【請求項４】
請求項１から請求項３の何れか１項に記載の支柱装着具用高さ調整治具であって、
前記クランプ部は、筒状に構成され、
前記クランプ部の内部を前記支柱が挿通自在とされ、
前記クランプ部には、前記支柱を挿通する方向に沿うように一方の端縁から他方に向かって延び、且つ他方の端縁から間隔を存するスリットが設けられ、
前記クランプ部には、前記スリットに開口するようにネジ孔が設けられ、
前記クランプ部には、前記ネジ孔に前記スリットを挟んで対向するように貫通する孔部が穿設され、
該孔部を通して前記ネジ孔に締付ネジを螺着させることにより、前記クランプ部が締め付けられて前記支柱に取り付けられることを特徴とする支柱装着具用高さ調整治具。
【発明の詳細な説明】
【技術分野】
【０００１】
本発明は、支柱に固定される支柱クランプ装置等の支柱装着具の高さを微調整可能な支柱クランプ用高さ調整治具に関する。
【背景技術】
【０００２】
従来、支柱に機器を取り付けるための支柱クランプ装置（支柱装着具）が知られている（例えば、特許文献１参照）。特許文献１の支柱装着具は、ネジ孔を有するストッパリングと、ネジ孔に螺合する止めネジとで構成される。そして、止めネジを締めてその先端を支柱に押し付けることにより、止めネジとストッパリングとで支柱を挟みつけるようにして、支柱装着具が支柱に取り付けられる。ストッパリングにはアームを介して機器が取り付けられている。
【先行技術文献】
【特許文献】
【０００３】
【特許文献１】特開２００５−８３５３８号公報
【発明の概要】
【発明が解決しようとする課題】
【０００４】
上記支柱装着具の高さを調整するときには、止めネジを緩めて、ストッパリングを支柱に沿って摺動させる。しかしながら、ストッパリングには機器の重量が作用しており、機器が重いものでは特に、支柱装着具の高さの微調整は困難であった。
【０００５】
本発明は、以上の点に鑑み、支柱装着具の高さ調整が容易な支柱装着具用高さ調整治具を提供することを目的とする。
【課題を解決するための手段】
【０００６】
［１］上記目的を達成するため、本発明は、支柱に取り付けられる支柱装着具の高さを調整自在な支柱装着具用高さ調整治具であって、支柱に取り付けられるクランプ部と、該クランプ部に設けられた雄ネジ部と、該雄ネジ部に上方から螺合するナットとを備え、該ナットの上端が支柱装着具に当接することを特徴とする。
【０００７】
本発明によれば、ナットを回すことによって、支柱に取り付けられたクランプ部に対するナットの相対的な位置が昇降する。このため、ナットが当接する支柱装着具及びこれに取り付けられた機器等の高さの微調整を容易に行うことができる。
【０００８】
［２］また、本発明のナットは、支柱装着具に当接する高さ調整ナットと、この高さ調整ナットの下降を阻止する下降阻止ナットとで構成してもよい。かかる構成によれば、高さ調整ナットが機器等の重い荷重によって下降することを下降阻止ナットで抑制することができる。
【０００９】
［３］また、本発明においては、支柱装着具と当接するナットの上端部を肉薄に形成してもよい。かかる構成によれば、ナットと支柱装着具との接触面積が小さくなる。このため、ナットを回して高さ調整をするときに、ナットを回転させ易くなる。
【００１０】
［４］また、本発明においては、クランプ部を筒状に構成し、クランプ部の内部を支柱が挿通自在とし、クランプ部に、支柱を挿通する方向に沿うように一方の端縁から他方に向かって延び、且つ他方の端縁から間隔を存するスリットを設け、クランプ部にスリットに開口するようにネジ孔を設け、クランプ部に、ネジ孔にスリットを挟んで対向するように貫通する孔部を穿設し、孔部を通してネジ穴に締付ネジを螺着させることにより、クランプ部が締め付けられて支柱に取り付けられるように構成してもよい。
【００１１】
かかる構成によれば、スリットが一方の端縁から他方に向かって延び、且つ他方の端縁から間隔を存して設けられているため、一方の端縁から他方の端縁に亘ってスリットを設ける場合に比し、筒状のクランプ部の内径寸法が変化し難くなる。従って、支柱装着具用高さ調整治具を支柱に組み付け易くすることができる。
【図面の簡単な説明】
【００１２】
【図１】本発明の支柱装着具用高さ調整治具の実施形態を示す説明図。
【図２】実施形態の支柱装着具用高さ調整治具を分解して示す説明図。
【図３】実施形態の支柱装着具用高さ調整治具の使用状態を示す説明図。
【発明を実施するための形態】
【００１３】
図１及び図２に示す、本発明の実施形態の支柱装着具用高さ調整治具１は、クランプ部２と、クランプ部２の上端部に設けられた雄ネジ部３と、雄ネジ部３に上方から螺合するナット４とを備える。クランプ部２は、筒状に構成され、内部を支柱クランプ装置（支柱装着具）が取り付けられる支柱が挿通自在となるようにしている。クランプ部２の下端部には、径方向外方に張り出す張出部２１が設けられている。また、クランプ部２には、下端縁から上方に向かって切り欠かれたスリット２２が設けられている。スリット２２の上端は、クランプ部２（雄ネジ部３）の上端縁から間隔を存している。これにより、スリット２２をクランプ部２の下端縁から上端縁に亘って設けた場合と比較して、クランプ部２の内径寸法が変化し難くなる。
【００１４】
張出部２１には、スリット２２に開口するようにネジ孔２１ａが設けられている。また、張出部２１には、このネジ孔２１ａにスリット２２を挟んで対向するように貫通する孔部２１ｂが穿設されている。ネジ孔２１ａには、孔部２１ｂを介して締付ネジ２１ｃ（図３参照）が螺着される。孔部２１ｂのネジ孔２１ａから離れる側には、大きく切り欠かれた切欠部２１ｄが設けられ、この切欠部２１ｄで締付ネジ２１ｃ（図３参照）の頭を収容できるように構成されている。
【００１５】
ナット４は、支柱装着具の高さを調整する高さ調整ナット４１と、この高さ調整ナット４１の下降を阻止する下降阻止ナット４２とで構成される。高さ調整ナット４１及び下降阻止ナット４２の内周面には、雌ネジが切られている。高さ調整ナット４１のナット本体４１ａは、外周面に滑り止め加工が施されると共に、肉厚に（径方向に厚くなるように）形成されている。高さ調整ナット４１の上端部４１ｂは、薄肉（径方向に薄くなるように）形成されている。
【００１６】
また、ナット本体４１ａの外周面には、複数（例えば、４つ）の差込穴４１ｃが穿設され、この差込穴４１ｃにレンチ等の棒状体を差し込んで、高さ調整ナット４１を回転させることもできる。また、差込穴４１ｃを複数設けることにより、差込穴４１ｃが支柱装着具やこの装置に取り付けられる機器等に隠れて使用することが出来なくなることを防止できる。
【００１７】
また、ナット本体４１ａには、その外周面から内周面に貫通するネジ孔４１ｄが設けられ、このネジ孔４１ｄにイモネジ（六角穴付き止めネジ）等を螺着できるようにしている。
【００１８】
下降阻止ナット４２は、その軸方向長さが高さ調整ナット４１のナット本体４１ａの軸方向長さよりも短くなるように構成されている。また、下降阻止ナット４２の外周面には、滑り止め加工が施され、更に、複数（例えば、４つ）の差込穴４２ａが穿設されている。下降阻止ナット４２は、この差込穴４２ａにレンチ等の棒状体を差し込んで回転させることもできる。
【００１９】
次に、図３を参照して、本実施形態の支柱装着具用高さ調整治具１の使用方法の一例を説明する。
【００２０】
本実施形態の支柱装着具用高さ調整治具１は、ベルトコンベア等のラインＬ上を流れるワークＷを検査するカメラＣが取り付けられた支柱クランプ装置５（支柱装着具）の高さを調整するものである。まず先に、高さ調整治具１のクランプ部２内に支柱Ｐを挿入し、締付ネジ２１ｃを孔部２１ｂを通してネジ孔２１ａに螺着し、クランプ部２を締め付けて支柱Ｐに固定する。スリット２２の上端がクランプ部２（雄ネジ部３）の上端縁から間隔を存することにより、クランプ部２の内径寸法が変化し難くなっているため、クランプ部２は支柱Ｐに取り付け易くなっており、支柱装着具用高さ調整治具１の組立性が向上される。
【００２１】
そして、雄ネジ部３に下降阻止ナット４２及び高さ調整ナット４１の順に螺着させる。その後、支柱クランプ装置５を支柱Ｐに仮止めする。ここで、高さ調整ナット４１は、その上端縁がクランプ部２の上端（雄ネジ部３の上端）よりも上方に突出させておく。これにより、高さ調整ナット４１の上端縁が支柱クランプ装置５に当接し、高さ調整ナット４１を回転させることで、支柱クランプ装置５を昇降させることができる。
【００２２】
また、高さ調整ナット４１の上端部４１ｂは肉薄に（径方向に薄くなるように）形成されているため、高さ調整ナット４１と支柱クランプ装置５との接触面積が小さくなる。これにより、高さ調整ナット４１と支柱クランプ装置５との間の摩擦が少なくなり、高さ調整ナット４１を回転させ易くなる。
【００２３】
更には、高さ調整ナット４１の上端部４１ｂは、ナット本体４１ａの径方向内方から上方に突出するように設けられているため、高さ調整ナット４１のナット本体４１ａを把持して回すときに、ナット本体４１ａを把持した指等が支柱クランプ装置５に接触し難くなり、操作性が向上される。
【００２４】
高さ調整ナット４１を回転させて支柱クランプ装置５の高さを調整した後は、下降阻止ナット４２を高さ調整ナット４１側に締め付けるように回転させて、高さ調整ナット４１が支柱クランプ装置５及びこれに取り付けられるカメラＣの荷重によって意図せずに下降しないようにする。下降阻止ナット４２を締め付けた後、支柱クランプ装置５も支柱Ｐに本締めする。このようにして、本実施形態の支柱装着具用高さ調整治具１は使用される。
【００２５】
本実施形態の支柱装着具用高さ調整治具１によれば、高さ調整ナット４１を回すことによって、支柱Ｐに取り付けられたクランプ部２に対する高さ調整ナット４１の相対的な位置が昇降する。このため、高さ調整ナット４１が当接する支柱クランプ装置５及びこれに取り付けられたカメラＣの高さの微調整を容易に行うことができる。
【００２６】
なお、本実施形態においては、支柱クランプ装置５に取り付けられる機器等としてカメラＣを用いて説明したが、本発明の高さ調整治具１が用いられる支柱クランプ装置５に取り付けられる機器等はこれに限らない。また、高さ調整ナット４１の上端縁にスラストベアリングを設けてもよい。これによれば、支柱装着具との間の摩擦を更に低減させ、高さ調整ナット４１を回転させ易くすることができる。
【符号の説明】
【００２７】
１…支柱装着具用高さ調整治具、２…クランプ部、２１…張出部、２１ａ…ネジ孔、２１ｂ…孔部、２１ｃ…締付ネジ、２１ｄ…切欠部、２２…スリット、３…雄ネジ部、４…ナット、４１…高さ調整ナット、４１ａ…ナット本体、４１ｂ…上端部、４１ｃ…差込穴、４１ｄ…ネジ孔、４２…下降阻止ナット、４２ａ…差込穴、５…支柱クランプ装置（支柱装着具）、Ｌ…ライン、Ｗ…ワーク、Ｃ…カメラ、Ｐ…支柱。
【図１】
2013194755.tif 000003
【図２】
2013194755.tif 000004
【図３】
2013194755.tif 000005